(57)【要約】【課題】複数の設定項目が示す処理を併せて適用する場合に、どのような画像が作成されるかをユーザーが容易に把握可能とする。【解決手段】画像形成装置１において、表示制御部４２は、画像の印刷又は表示に係る複数の設定項目別に、設定項目の処理が適用された画像を表示部３２に縮小表示させ、各設定項目の処理が適用されたそれぞれの画像のうちの任意の画像がユーザーによるタッチパネル３５の操作で指示されると、この指示された画像に対応する設定項目の処理を適用して前記原稿を印刷する指示を受け付け、受け付けなかった他の設定項目のそれぞれについては、当該他の設定項目の処理に加えて当該指示を受け付けた設定項目の処理が適用された原稿を示す画像を表示部３２に縮小表示させる。【選択図】図２
2018192661.tif 000002
【特許請求の範囲】
【請求項１】
原稿の画像を記録紙に印刷する画像形成部と、
表示部と、
ユーザーにより操作される操作部と、
前記画像形成部による原稿の画像の印刷前に、前記原稿の画像の印刷に係る複数の設定項目別に、前記設定項目の示す処理が適用された前記原稿を示す画像を前記表示部に縮小表示させ、前記各設定項目の示す処理が適用されたそれぞれの画像のうちの任意の画像が前記ユーザーによる前記操作部の操作で指示されると、この指示された画像に対応する設定項目の処理を適用して前記原稿を印刷する指示を受け付け、当該指示を受け付けなかった他の設定項目のそれぞれについては、当該他の設定項目の処理に加えて前記指示を受け付けた設定項目の処理が適用された前記原稿を示す画像を前記表示部に縮小表示させる制御部と、を備える画像形成装置。
【請求項２】
前記制御部は、前記各設定項目の処理が適用された原稿を示すそれぞれの画像のうちの任意の画像が、前記ユーザーによる前記操作部の操作で指示される度に、この指示された画像に対応する設定項目の示す処理を適用して前記原稿を印刷する指示を逐次受け付け、当該指示を受け付けなかった他の設定項目のそれぞれについては、当該他の設定項目の処理に加えて更に、当該指示を受け付けた全ての設定項目の処理が適用された前記原稿を示す画像を前記表示部に縮小表示させる請求項１に記載の画像形成装置。
【請求項３】
前記制御部は、前記各設定項目の処理が適用された原稿を示すそれぞれの画像のうちの任意の画像が、前記ユーザーによる前記操作部の操作で指示されたとき、当該指示を受け付けなかった他の設定項目毎に、当該他の設定項目を、前記指示を受け付けた設定項目の示す処理と併せて適用可能であるか否かを判定し、適用可能と判定した他の設定項目の処理及び前記指示を受け付けた設定項目の処理が適用された前記原稿を示す画像を前記表示部に縮小表示させ、適用不可能であると判定した他の設定項目については、前記指示を受け付けた設定項目の処理が適用されていないそれまでの前記原稿を示す画像を引き続き前記表示部に縮小表示させる請求項１又は請求項２に記載の画像形成装置。
【請求項４】
前記制御部は、前記原稿の画像の印刷に係る複数の設定項目のうちから使用頻度の多い順に予め定められた数だけ各設定項目を抽出して、この抽出した各設定項目について、当該設定項目の示す処理が適用された前記原稿の画像を前記表示部に縮小表示させる請求項１乃至請求項３のいずれかに記載の画像形成装置。
【請求項５】
前記操作部として、前記表示部の画面に配置されたタッチパネルを備え、
前記制御部は、前記ユーザーによる前記タッチパネルのタッチ操作に基づき、前記各設定項目の処理が適用された原稿を示すそれぞれの画像に対する指示を受け付ける請求項１乃至請求項４のいずれかに記載の画像形成装置。
【請求項６】
前記制御部は、前記指示を受け付けた設定項目の処理が適用された前記原稿を示す画像についての拡大表示又は縮小表示が前記ユーザーによる前記タッチパネルのタッチ操作で指示されると、当該原稿の画像を前記表示部に拡大表示又は縮小表示させる請求項５に記載の画像形成装置。
【請求項７】
前記制御部は、前記設定項目の処理が適用された前記原稿を示す画像の表示数の増減が前記ユーザーによる前記タッチパネルのタッチ操作で指示されると、前記表示部に表示されている該各設定項目の処理が適用された前記原稿を示す画像の表示数を増減させる請求項５又は請求項６に記載の画像形成装置。
【請求項８】
前記原稿の画像を読取る画像読取部を備え、
前記制御部は、前記画像読取部によって読み取られた前記原稿に対して前記設定項目の処理が適用された画像を前記表示部に縮小表示させる請求項１乃至請求項７のいずれかに記載の画像形成装置。
【請求項９】
表示部と、
ユーザーにより操作される操作部と、
画像の加工に係る複数の設定項目別に、設定項目の処理が適用された前記画像を前記表示部に縮小表示させ、前記各設定項目の処理が適用されたそれぞれの画像のうちの任意の画像が前記ユーザーによる前記操作部の操作で指示されると、当該指示を受け付けなかった他の設定項目を示す画像のそれぞれについては、当該他の設定項目の処理に加えて前記指示を受け付けた設定項目の処理が適用された画像を前記表示部に縮小表示させる制御部と、を備える電子機器。
【請求項１０】
前記画像を撮像する撮像部を備え、
前記制御部は、前記撮像部によって撮像された画像を前記表示部に縮小表示させる請求項９に記載の電子機器。
【発明の詳細な説明】
【技術分野】
【０００１】
本発明は、画像の印刷や表示に際し、カラー、モノクロ、片面、両面などの設定項目を選択的に適用することが可能な画像形成装置及び電子機器に関し、特に設定項目の選択を容易にするための技術に関する。
【背景技術】
【０００２】
画像形成装置では、画像の印刷に先立ち、ユーザーがカラー、モノクロ、片面、両面、集約、頁余白、９０度回転などの印刷に係る複数の設定項目を選択可能とされている。ユーザーは、設定項目別に、設定項目の処理が適用された画像を想像しながら該設定項目の適否を判断し、画像が印刷されたときに該画像の印刷状態を初めて確認することとなる。
【０００３】
このため、特許文献１では、設定を視覚的に確認するためのプレビュー表示機能に対して、現在の設定を反映するプレビュー表示機能と、設定前の標準的な設定を反映するプレビュー表示機能とを持つことにより、設定前の状況と、設定後の状況をより分かり易く表示するようにしている。
【０００４】
また、特許文献２では、画像に印刷設定として両面印刷が指定されている場合、表面の画像と、裏面の画像とのうち、少なくとも一方の画像の表示形態を変化させて合成することによりプレビュー画像を生成している。
【先行技術文献】
【特許文献】
【０００５】
【特許文献１】特開２００４−３４８４０５号公報
【特許文献２】特開２００９−２９６３７０号公報
【発明の概要】
【発明が解決しようとする課題】
【０００６】
しかしながら、特許文献１及び特許文献２のいずれにおいても、上記のようにカラー、モノクロ、片面、両面、集約、頁余白、９０度回転などの印刷に係る複数の設定項目を選択して組み合わせる場合には、設定項目の組み合わせによりどのような画像が印刷されるかを把握することが困難であった。
【０００７】
本発明は、上記の事情に鑑みなされたものであり、複数の設定項目が示す処理を併せて適用する場合に、どのような画像が作成されるかをユーザーが容易に把握可能とすることを目的とする。
【課題を解決するための手段】
【０００８】
本発明の一局面にかかる画像形成装置は、原稿の画像を記録紙に印刷する画像形成部と、表示部と、ユーザーにより操作される操作部と、前記画像形成部による原稿の画像の印刷前に、前記原稿の画像の印刷に係る複数の設定項目別に、前記設定項目の示す処理が適用された前記原稿を示す画像を前記表示部に縮小表示させ、前記各設定項目の示す処理が適用されたそれぞれの画像のうちの任意の画像が前記ユーザーによる前記操作部の操作で指示されると、この指示された画像に対応する設定項目の処理を適用して前記原稿を印刷する指示を受け付け、当該指示を受け付けなかった他の設定項目のそれぞれについては、当該他の設定項目の処理に加えて前記指示を受け付けた設定項目の処理が適用された前記原稿を示す画像を前記表示部に縮小表示させる制御部と、を備えるものである。
【０００９】
また、本発明の一局面にかかる電子機器は、表示部と、ユーザーにより操作される操作部と、画像の印刷又は表示に係る複数の設定項目別に、設定項目の処理が適用された前記画像を前記表示部に縮小表示させ、前記各設定項目の処理が適用されたそれぞれの画像のうちの任意の画像が前記ユーザーによる前記操作部の操作で指示されると、当該指示を受け付けなかった他の設定項目を示す画像のそれぞれについては、当該他の設定項目の処理に加えて前記指示を受け付けた設定項目の処理が適用された画像を前記表示部に縮小表示させる制御部と、を備えるものである。
【発明の効果】
【００１０】
本発明によれば、複数の設定項目が示す処理を併せて適用する場合に、どのような画像が作成されるかをユーザーが容易に把握可能になる。
【図面の簡単な説明】
【００１１】
【図１】本発明の一実施形態にかかる画像形成装置を示す断面図である。
【図２】本実施形態の画像形成装置の主要内部構成を示すブロック図である。
【図３】複数の設定項目別に、設定項目の処理が適用された原稿の画像を縮小表示させる処理を示すフローチャートである。
【図４】原稿の画像をモノクロで縮小表示させると共に、複数の設定項目別に、設定項目の処理が適用された原稿の画像を縮小表示させた表示部の画面を例示する図である。
【図５】各設定項目別に、設定項目を他の設定項目に併せて組み合わせることが可能であるか否かの判定に用いられるデータテーブルを例示する図である。
【図６】ユーザーにより指示された画像の縮小表示を継続させて、この画像に対応する設定項目を選択し、選択しなかった他の設定項目別に、他の設定項目の処理及び選択した設定項目の処理が適用された原稿の画像を縮小表示させた表示部の画面を例示する図である。
【図７】複数の設定項目別に、設定項目の処理が適用された原稿の画像を縮小表示させた表示部の画面の他の例を示す図である。
【発明を実施するための形態】
【００１２】
以下、本発明の一実施形態について図面を参照して説明する。
【００１３】
図１は、本発明の画像形成装置の一実施形態を示す断面図である。この画像形成装置１は、例えば、コピー機能、プリンター機能、スキャナー機能、及びファクシミリ機能のような複数の機能を兼ね備えたＭＦＰ（複合機）である。この画像形成装置１は、画像読取部１１と、画像形成部１２とを備えている。
【００１４】
画像読取部１１は、原稿を光学的に読み取るスキャナーを有し、この原稿の画像を示す画像データを生成する。
【００１５】
画像形成部１２は、画像読取部１１で生成された画像データ又は外部から受信した画像データによって示される画像を記録紙に印刷するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を、１次転写ローラー６により中間転写ベルト５に転写する。これにより、カラーのトナー像（画像）が中間転写ベルト５上に形成される。このカラーのトナー像は、中間転写ベルト５と２次転写ローラー９の間のニップ域Ｎにおいて給紙部７から搬送路８を通じて搬送されてきた記録紙Ｐに２次転写される。
【００１６】
この後、定着装置１５で記録紙Ｐが加熱及び加圧されて、記録紙Ｐ上のトナー像が熱圧着により定着され、更に記録紙Ｐが排出ローラー対１６を通じて排出トレイ１７に排出される。
【００１７】
図２は、画像形成装置１の主要内部構成を示す機能ブロック図である。図２に示すように画像形成装置１は、制御ユニット３１、表示部３２、操作部３４、タッチパネル３５、ＮＷ通信部３６、ＦＡＸ通信部３７、記憶部３８、画像処理部３９、画像読取部１１、及び画像形成部１２などを備えている。これらの構成要素は、互いにバスを通じてデータ又は信号の送受信を可能とされている。
【００１８】
表示部３２は、液晶ディスプレイ（ＬＣＤ：Liquid Crystal Display）や有機ＥＬ（ＯＬＥＤ：Organic Light-Emitting Diode）ディスプレイなどから構成される。
【００１９】
操作部３４は、例えば、表示部３２の初期画面を呼び出すメニューキー、スタートキーなどを備え、ユーザーから画像形成動作実行指示や原稿読取動作実行指示等の指示を受け付ける。
【００２０】
表示部３２の画面には、タッチパネル３５が重ねられている。タッチパネル３５は、所謂抵抗膜方式や静電容量方式などのタッチパネルであって、タッチパネル３５に対するユーザーの指などの接触（タッチ）をその接触位置と共に検知し、表示部３２の画面上のＧＵＩなどに対するユーザーの指示を入力する。従って、タッチパネル３５は、表示部３２の画面に対するユーザー操作が入力される操作部３４としての役割も果たす。このユーザー操作には、タッチ操作、スライド操作（フリック操作やスワイプ操作を含む）、ドラッグ操作、ピンチアウト操作、ピンチイン操作などがある。
【００２１】
ＮＷ通信部３６は、ネットワークＮを通じて他の端末装置（図示せず）との間で各種のデータを送受信する。ＦＡＸ通信部３７は、画像データを、ネットワークＮを通じて他の画像形成装置やファクシミリ装置（図示せず）などとの間で送受信する。
【００２２】
記憶部３８は、大容量のＳＳＤ（Solid State Drive）、ＨＤＤ（Hard Disk Drive）などからなり、各種のデータやプログラムを記憶している。
【００２３】
画像処理部３９は、原稿読取部５で読み取られた画像を読み出して画像処理する。例えば、画像処理部３９は、原稿読取部５により読み取られた画像が画像形成部１２により画像形成された後の品質を向上させるために、シェーディング補正等の予め定められた画像処理を行う。また、画像処理部３９は、カラー、モノクロ、片面、両面、集約、頁余白、９０度回転などの印刷に係る複数の設定項目についての処理を施した状態を示す縮小画像を生成する処理を行う。
【００２４】
制御ユニット３１は、プロセッサー、ＲＡＭ(Random Access Memory）、及びＲＯＭ（Read Only Memory）などから構成される。プロセッサーは、ＣＰＵ（Central Processing Unit）、ＭＰＵ、ＡＳＩＣ等である。この制御ユニット３１は、上記のＲＯＭ又は記憶部３８に記憶されているプログラムが上記のプロセッサーで実行されることにより、主制御部４１、表示制御部４２、及び通信制御部４３として機能する。なお、制御ユニット３１の上記の各構成は、プログラムに基づく動作によらず、それぞれハード回路により構成されてもよい。また、主制御部４１及び表示制御部４２は、特許請求の範囲における「制御部」に相当する。
【００２５】
主制御部４１は、画像形成装置１の全体的な動作制御を司る。表示制御部４２は、表示部３２を制御して、上記ＧＵＩ、あるいは各種の情報などを表示部３２に表示させる。通信制御部４３は、ＮＷ通信部３６及びＦＡＸ通信部３７の通信動作を制御する機能を有する。
【００２６】
このような構成の画像形成装置１において、ユーザーは、操作部３４及びタッチパネル３５を操作することによりファクシミリ通信機能、コピー機能、プリンター機能、及びスキャナー機能のいずれかを選択する指示を入力すると、主制御部４１及び表示制御部４２は、この選択された機能によるジョブを実行させる。例えば、ユーザーが、操作部３４及びタッチパネル３５を操作することにより、コピー機能を選択する指示を入力して、このコピー機能によるジョブの実行を指示すると、主制御部４１は、画像読取部１１により原稿の画像を読取らせ、画像形成部１２により原稿の画像を記録紙に印刷させる。同様に、ファクシミリ通信機能、プリンター機能、及びスキャナー機能についても、ユーザーが、機能を選択する指示を入力し、この選択された機能によるジョブの実行を指示すると、主制御部４１は、その指示されたジョブを実行する。
【００２７】
また、画像形成装置１においては、画像形成部１２により原稿の画像を記録紙に印刷するに先立ち、ユーザーが操作部３４又はタッチパネル３５を操作することにより、カラー、モノクロ、片面、両面、集約、頁余白、９０度回転などの印刷に係る複数の設定項目を適宜選択する指示を入力すると、主制御部４１は、その選択された設定項目の処理が実行された原稿の画像を記録紙に印刷させる。設定項目とは、印刷又は画像保存時に、印刷又は保存の対象となる画像に対して画像処理部３９が行う画像処理を示す項目である。
【００２８】
更に、本実施形態では、ユーザーによる設定項目の選択に際し、表示制御部４２は、複数の設定項目別に、設定項目の示す処理が適用された原稿を示す画像を、表示部３２に縮小表示させる。そして、ユーザーがタッチパネル３５を通じて、表示部３２に縮小表示されている各画像のうちの任意の画像を指定する指示を入力すると、表示制御部４２は、当該指示された画像に対応する設定項目の処理を適用して原稿を印刷する指示を受け付け、当該指示を受け付けなかった他の設定項目のそれぞれについては、当該他の設定項目の処理に加えて、上記指示を受け付けた設定項目の処理が適用された原稿を示す画像を表示部３２に縮小表示させる。このため、ユーザーは、幾つかの設定項目を選択して組み合わせたときにどのような画像が印刷されるかを容易に把握することができる。
【００２９】
次に、上記複数の設定項目別に、設定項目の処理が適用された原稿の画像を縮小表示させる処理を、図３に示すフローチャートなどを参照して説明する。
【００３０】
まず、ユーザーは、原稿を画像読取部１１にセットし、操作部３４を操作して原稿の読み取りを指示する。主制御部４１は、その原稿の読み取りの指示に応答して画像読取部１１を起動する。画像読取部１１は、原稿の画像を読み取り、原稿の画像を示す画像データを生成する。画像読取部１１により読み取られた画像データは、記憶部３８に記憶される（Ｓ１０１）。ここでは、画像読取部１１は原稿をカラーで読み取り、当該画像データは、カラー画像で記憶部３８に記憶されるものとする。
【００３１】
表示制御部４２は、原稿の画像を示す画像データが記憶部３８に記憶されると、この画像データに基づき、原稿の画像をモノクロで表示部３２に縮小表示させる。また、表示制御部４２は、カラー、片面、両面、集約、頁余白、９０度回転などの複数の設定項目別に生成した各画像データにより、各設定項目の処理が行われた原稿を示す画像をそれぞれ表示部３２に縮小表示させる（Ｓ１０２）。表示制御部４２は、記憶部３８に記憶されている上記カラー画像から、表示に必要なモノクロ画像を生成する。また、図４、図６及び図７において、「カラー」と示している画像は当該画像がカラー画像で表示されていることを表現し、「モノクロ」と示している画像は当該画像がモノクロ画像で表示されていることを表現している。
【００３２】
図４は、表示制御部４２が上記のように原稿の画像をモノクロで縮小表示させると共に、複数の設定項目別に、設定項目の処理が適用された原稿の画像を縮小表示させた表示部３２の画面を例示している。図４に示すように、表示制御部４２は、表示部３２の画面の中央に、原稿（例えば、１頁目）の画像Ｇ１１をモノクロで表示させる。また、表示制御部４２は、表示部３２の画面において、原稿の画像Ｇ１１の周りに、他の各設定項目の処理が適用されたそれぞれの原稿を示す画像Ｇ１２〜Ｇ１９を表示させる。更に、表示制御部４２は、表示部３２の画面に、ＯＫキー５１を表示させる。表示制御部４２は、これら各画像を、画像読取部１１によって読み取られた画像を用いて生成する。
【００３３】
ここで、原稿の画像Ｇ１１は、画像処理部３９による画像処理が行われていないデフォルトの原稿の縮小画像であって、原稿の画像が記録紙にモノクロで印刷された状態を示す。本実施形態では、画像読取部１１によって読み取られた画像はカラー画像であるため、表示制御部４２は、当該カラー画像をモノクロに変換して用いる（以下、モノクロ画像を表示するときは同様）。
【００３４】
また、例えば原稿の画像Ｇ１２は、原稿の画像を縮小表示したものであって、原稿の画像が記録紙にカラーで印刷された状態を示す。本実施形態では、画像読取部１１によって読み取られた画像はカラー画像であるため、表示制御部４２は、当該カラー画像を用いる。
【００３５】
また、原稿の画像Ｇ１３は、集約の設定項目の処理が適用された原稿の画像をモノクロで縮小表示したものであって、画像読取部１１によって読み取られた２枚の原稿の画像が１枚の記録紙に印刷される場合の状態を示している。なお、本実施形態では、表示制御部４２は、集約の処理として２ｉｎ１が行われる例を表示させるものとしている。
【００３６】
同様に、各原稿の画像Ｇ１４は頁余白の設定項目の処理が適用された原稿の画像、画像Ｇ１５は片面印刷時を示す画像、画像Ｇ１６は両面印刷時を示す画像、Ｇ１７は９０度回転させて印刷される状態を示す画像、Ｇ１８は１８０度回転させて印刷される状態を示す画像、Ｇ１９は頁番号を示す画像を付加した状態を示す画像であり、表示制御部４２によって縮小表示される。
【００３７】
ユーザーは、図４に示す表示部３２の画面の中央に縮小表示されている原稿の画像Ｇ１１を見て、デフォルトの設定項目の処理により原稿の画像が記録紙にモノクロで印刷される状態を知ることができる。また、ユーザーは、図４に示す表示部３２の画面における原稿の画像Ｇ１２を見て、原稿が記録紙にカラーで印刷される状態を知ることができる。また、ユーザーは、原稿の画像Ｇ１３を見て、集約の設定項目の処理により２枚の原稿の画像が１枚の記録紙にモノクロで印刷される状態を知ることができる。同様に、ユーザーは、各原稿の画像Ｇ１４〜Ｇ１９を見て、それぞれの設定項目別に、設定項目の示す処理が行われた原稿の画像が印刷される状態を知ることができる。
【００３８】
このように各原稿の画像Ｇ１１、Ｇ１２〜Ｇ１９が表示部３２の画面に表示された状態で、主制御部４１は、ＯＫキー５１に対するタッチ操作、又は各原稿の画像Ｇ１２〜Ｇ１９のいずれかに対するタッチ操作を待機している（Ｓ１０３「Ｎｏ」、Ｓ１０４「Ｎｏ」）。
【００３９】
例えば、ユーザーがＯＫキー５１にタッチ操作すると、主制御部４１は、タッチパネル３５を通じて、ＯＫキー５１に対するタッチ操作を検出し、原稿の画像Ｇ１１が指示されたと判定し（Ｓ１０３「Ｙｅｓ」）、表示部３２の画面の中央に縮小表示されている原稿の画像Ｇ１１に対応するデフォルトの設定項目の処理、すなわち、画像読取部１１によって読み取られた原稿の画像を記録紙にモノクロで印刷するという処理を確定する（Ｓ１０５）。主制御部４１は、画像形成部１２に、記憶部３８に記憶されている原稿の画像を示す画像データを用いて、原稿の画像を記録紙にモノクロで印刷させる（Ｓ１０６）。本実施形態では、画像読取部１１によって読み取られた画像はカラー画像であるため、画像処理部３９が当該カラー画像をモノクロに変換した画像データが当該印刷に用いられる。なお、印刷時に必要となる、画像読取部１１によって読み取られた原稿の画像についての画像処理は画像処理部３９が行う。
【００４０】
また、ユーザーが原稿の画像Ｇ１２にタッチ操作すると、主制御部４１は、タッチパネル３５を通じて、原稿の画像Ｇ１２に対するタッチ操作を検出し、原稿の画像Ｇ１２が指示されたと判定し（Ｓ１０４「Ｙｅｓ」）、この指示された原稿の画像Ｇ１２に対応するカラーの設定項目を適用する指示を受け付ける（Ｓ１０７）。
【００４１】
このように原稿の画像Ｇ１２に対応するカラーの設定項目が選択されると、表示制御部４２は、原稿の画像Ｇ１１を消去して、この代わりに、カラーで示される原稿の画像Ｇ１２を表示部３２の画面の中央に縮小表示させる（Ｓ１０８）。
【００４２】
また、表示制御部４２は、記憶部３８に予め記憶されているデータテーブルＤＴを参照して、集約、頁余白、片面、両面、９０度回転、１８０度回転、及び、頁番号付加といった選択されなかった他の各設定項目別に、当該他の設定項目を、上記指示を受け付けた設定項目の示す処理（ここでは、カラー印刷）と併せて適用可能であるか否かを判定し、適用可能と判定した他の設定項目を選択する（Ｓ１０９）。そして、表示制御部４２は、適用可能と判定した他の設定項目の処理及び上記指示を受け付けた設定項目（ここでは、カラー印刷）の処理が適用された原稿を示す画像を生成して表示部３２に縮小表示させる（Ｓ１１０）。
【００４３】
図５はデータテーブルＤＴを例示する図である。図５に示すようにデータテーブルＤＴには、モノクロ、カラー、集約、頁余白、片面、両面、９０度回転、１８０度回転、及び頁番号付加といった複数の設定項目別に、設定項目に対して他の設定項目を併せて適用可能か否かが記憶されている。例えば、表示制御部４２は、データテーブルＤＴを参照して、カラーの設定項目に対してはモノクロの設定項目を併せて適用不可能であり、モノクロの設定項目を除く他の各設定項目を併せて適用可能であることから、モノクロの設定項目を除く他の各設定項目を選択して（Ｓ１０９）、当該併せて適用可能な他の各設定項目別に、他の設定項目の処理及びカラーの設定項目の処理が適用された原稿の画像を生成して表示部３２の画面に縮小表示させる（Ｓ１１０）。
【００４４】
この結果、図６に示すようにカラーの設定項目の処理を適用してなる原稿の画像Ｇ１２が表示部３２の画面の中央に縮小表示され、また集約、頁余白、片面、両面、９０度回転、１８０度回転、及び、頁番号付加といった選択されなかった他の設定項目別に、他の設定項目の処理及びカラーの設定項目の処理が併せて適用された原稿の画像Ｇ２２〜Ｇ２９が縮小表示される。
【００４５】
この後、主制御部４１は、Ｓ１０３、Ｓ１０４からの処理に戻って、ＯＫキー５１に対する指示、又は各原稿の画像Ｇ２２〜Ｇ２９のいずれかに対する指示を待機する。そして、ユーザーがＯＫキー５１をタッチ操作すると（Ｓ１０３「Ｙｅｓ」）、主制御部４１は、表示部３２の画面の中央に縮小表示されている原稿の画像Ｇ１２に対応する設定項目の処理、すなわち原稿の画像を記録紙にカラーで印刷させる処理を確定する（Ｓ１０５）。主制御部４１は、画像形成部１２に、記憶部３８に記憶されている原稿の画像を示す画像データを用いて、原稿の画像を記録紙にカラーで印刷させる（Ｓ１０６）。
【００４６】
また、ユーザーが他の各原稿の画像Ｇ２２〜Ｇ２９のいずれかをタッチ操作して指示すると（Ｓ１０４「Ｙｅｓ」）、主制御部４１は、その２回目に指示された原稿の画像に対応する設定項目の処理の指示を受け付ける（Ｓ１０７）。
【００４７】
表示制御部４２は、２回目に指示された原稿の画像に対応する設定項目の処理の指示を受け付けると、表示部３２の画面の中央に縮小表示されている原稿の画像Ｇ１２を消去して、この代わりに、この消去した原稿の画像に対応する設定項目の処理（ここでは、原稿の画像を記録紙にカラーで印刷させる処理）と、上記２回目に指示された原稿の画像に対応する設定項目の処理とを併せて適用してなる原稿の画像を生成して、表示部３２の画面の中央に縮小表示させる（Ｓ１０８）。
【００４８】
また、表示制御部４２は、上記データテーブルＤＴを参照して、選択されなかった他の各設定項目別に、他の設定項目を、カラーで印刷させる処理（１回目に指示された原稿の画像に対応する設定項目）、及び２回目に指示された原稿の画像に対応する設定項目に併せて適用することが可能であるか否かを判定し、併せて適用可能な他の設定項目を選択して（Ｓ１０９）、この組み合わせが可能な他の設定項目の処理、上記カラーで印刷させる処理、及び２回目に指示された原稿の画像に対応する設定項目の処理を適用してなる原稿の画像を生成して、表示部３２の画面に縮小表示させる（Ｓ１１０）。この後、処理はＳ１０３に戻る。
【００４９】
更に、ユーザーがＯＫキー５１にタッチ操作すると（Ｓ１０３「Ｙｅｓ」）、主制御部４１が、表示部３２の画面の中央に縮小表示されている原稿の画像に対応する２つの設定項目の処理、すなわちカラーで印刷させる処理及び２回目に指示された原稿の画像に対応する設定項目の処理を確定する（Ｓ１０５）。主制御部４１は、画像形成部１２に、記憶部３８に記憶されている原稿の画像を示す画像データを用いて、表示部３２の画面の中央に縮小表示されている原稿の画像に対応する２つの設定項目の処理が行われた原稿の画像を記録紙に印刷させる（Ｓ１０６）。
【００５０】
また、ユーザーが、ＯＫキー５１にタッチ操作することなく（Ｓ１０３「Ｎｏ」）、他の各原稿の画像Ｇ２２〜Ｇ２８のいずれかをタッチ操作して指示すると（Ｓ１０４「Ｙｅｓ」）、主制御部４１は、その３回目に指示された原稿の画像に対応する設定項目の処理の指示を受け付ける（Ｓ１０７）。
【００５１】
表示制御部４２は、３回目に指示された原稿の画像に対応する設定項目の処理が選択されると、表示部３２の画面の中央に縮小表示されている原稿の画像を消去して、この代わりに、この消去した原稿の画像に対応する２つの設定項目の処理（ここでは、カラーで印刷させる処理、２回目に指示された原稿の画像に対応する設定項目の処理）及び３回目に指示された原稿の画像に対応する設定項目の処理を適用してなる原稿の画像を生成して、表示部３２の画面の中央に縮小表示させる（Ｓ１０８）。
【００５２】
また、表示制御部４２は、上記データテーブルＤＴを参照して、選択されなかった他の各設定項目別に、他の設定項目をその消去した原稿の画像に対応する２つの設定項目（カラーで印刷させる処理、２回目に指示された原稿の画像に対応する設定項目）と、３回目に指示された原稿の画像に対応する設定項目とを併せて適用可能か否かを判定し、併せて適用可能な他の設定項目を選択して（Ｓ１０９）、当該併せて適用可能な他の設定項目の処理、カラーの設定項目の処理、２回目に指示された原稿の画像に対応する設定項目の処理、及び３回目に指示された原稿の画像に対応する設定項目の処理を適用してなる原稿の画像を生成して、表示部３２の画面に縮小表示させる（Ｓ１１０）。
【００５３】
以降同様に、ＯＫキー５１がタッチ操作されると（Ｓ１０３「Ｙｅｓ」）、表示部３２の画面の中央に縮小表示されている原稿の画像に対応する複数の設定項目の処理が確定され（Ｓ１０５）、主制御部４１は、画像形成部１２に、記憶部３８に記憶されている原稿の画像を示す画像データを用いて、当該各設定項目の処理が行われた原稿の画像を記録紙に印刷させる（Ｓ１０６）。
【００５４】
また、他の各原稿の画像のいずれかがタッチ操作されて指示されると（Ｓ１０４「Ｙｅｓ」）、そのｎ回目に指示された原稿の画像に対応する設定項目の処理の指示が受け付けられる（Ｓ１０７）。そして、表示制御部４２により、表示部３２の画面の中央に縮小表示されている原稿の画像が消去されて、この代わりに、この消去した原稿の画像に対応する複数の設定項目の処理及びｎ回目に指示された原稿の画像に対応する設定項目の処理が適用された原稿の画像が表示部３２の画面の中央に縮小表示される（Ｓ１０８）。
【００５５】
そして、上記データテーブルＤＴに基づき、選択されなかった他の各設定項目別に、他の設定項目をその消去した原稿の画像に対応する複数の設定項目及びｎ回目に指示された原稿の画像に対応する設定項目に併せて適用可能であるか否かが判定され、併せて適用可能な他の設定項目が選択され（Ｓ１０９）、当該併せて適用可能な他の設定項目の処理、消去した原稿の画像に対応する複数の設定項目の処理、及びｎ回目に指示された原稿の画像に対応する設定項目の処理を適用してなる原稿の画像が表示制御部４２により表示部３２の画面に縮小表示される（Ｓ１１０）。
【００５６】
このように本実施形態では、画像形成部１２による原稿の画像の印刷前に、複数の設定項目別に、設定項目の処理が適用された原稿の画像が表示部３２に縮小表示され、ユーザーが各画像のうちの任意の画像を指示すると、この指示された画像に対応する設定項目の指示を受け付けられ、受け付けられなかった他の設定項目毎に、他の設定項目の処理及び当該指示が受け付けられた設定項目の処理が適用された原稿の画像が表示制御部４２により表示部３２に縮小表示される。このため、ユーザーは、これら縮小表示された画像を見ることによって、幾つかの設定項目を併せて適用したときにどのような画像が作成されるか、印刷されるかを容易に把握することができる。更に、ユーザーは、このように縮小表示されている画像が示す、複数の処理が併せて適用された画像についての印刷指示を容易に入力することが可能になる。
【００５７】
尚、上記実施形態では、表示部３２の画面に、上記複数の原稿の画像を同じサイズで表示しているが、表示制御部４２は、ＯＫキー５１のタッチ操作がされたときに、印刷される中央の原稿の画像のみを他の原稿の画像よりも大きなサイズで表示させるようにしてもよい。また、表示制御部４２は、タッチパネル３５により任意の原稿の画像に対するピンチアウト操作が検出されたときに、この任意の原稿の画像を拡大表示したり、タッチパネル３５により任意の原稿の画像に対するピンチイン操作が検出されたときに、この任意の原稿の画像を縮小表示させるようにしてもよい。
【００５８】
また、表示制御部４２は、(i)タッチパネル３５により表示部３２の画面全体に対するピンチアウト操作が検出されたときに、上記設定項目の示す処理が適用された上記原稿を示す画像の表示数を増やす（上記設定項目を１６としておき、デフォルトでは上記実施形態で示した３×３で９の画像を表示する状態とし、ピンチアウト操作検出時に４×４で１６の画像を表示する状態に変更する等）、(ii)タッチパネル３５により表示部３２の画面全体に対するピンチイン操作が検出されたときに、上記原稿を示す画像の表示数を減少させる（上記設定項目を１６としている場合に、４×４で１６の画像を表示する状態から、ピンチイン操作検出時に３×３で９の画像を表示する状態に変更する等）、としてもよい。
【００５９】
また、原稿の画像の印刷に係る多数（例えば、２０）の設定項目があるものとしておき、表示制御部４２が、当該多数の設定項目のうちから使用頻度の高い順に設定項目を例えば９つ抽出して、この抽出した９つの設定項目について、図４に示したように、設定項目の処理が適用された原稿を示す各画像を、表示部３２に縮小表示させるようにしてもよい。
【００６０】
また、１つの設定項目の処理について複数の選択肢がある場合、例えば、集約の処理において２ｉｎ１，４ｉｎ１等の選択肢がある場合、図７に示すように、その設定項目の処理に対応する上記原稿を示す画像（例えば画像Ｇ１３）がロングタッチ操作されると、表示制御部４２が、複数の選択肢を選択するためのポップアップ画面Ｐ１を表示させ、このポップアップ画面Ｐ１におけるいずれかの選択肢の表示領域に対するタッチ操作に基づいて、タッチ操作された位置に表示されている選択肢の処理を選択する指示が受け付けられるようにしてもよい。また、表示制御部４２は、当該指示が受け付けられた場合、受け付けられた選択肢が示す処理が適用された原稿を示す画像を生成して、それまでに表示させていた画像に代えて表示させるようにしてもよい。例えば、表示制御部４２は、それまで２ｉｎ１の処理が適用された原稿を示す画像を表示させていた場合、受け付けられた選択肢が示す処理である４ｉｎ１の処理が適用された原稿を示す画像を生成して表示させる。
【００６１】
また、上記実施形態では、画像形成装置を例示しているが、本発明を他の電子機器に適用することも可能である。例えば、本発明は、カメラ等の撮像部を有するスマートフォン等に適用されてもよい。この場合、当該スマートフォンは、図２に示した各構成の内、ＦＡＸ通信部３７、画像読取部１１、及び画像形成部１２を除く各部を備える。主制御部４１は、撮像部により撮像された画像を表示部３２に表示させる。
【００６２】
当該スマートフォンにおいては、表示制御部４２は、撮像部により撮像された画像を表示部の画面に表示させる際に、画像の加工に係る複数の設定項目別に、設定項目の処理が適用されたそれぞれの画像を、上記画像形成装置１において上記原稿を示す画像を表示する場合と同様にして、表示部３２に縮小表示させる。
【００６３】
この場合、表示制御部４２は、各設定項目のうちの任意の設定項目がユーザーによるタッチ操作で指示されると、この指示された画像に対応する設定項目を適用する指示を受け付け、受け付けられなかった他の設定項目別に、他の設定項目の処理及び選択した設定項目の処理が適用された画像を生成して表示部３２に縮小表示させる。これにより、複数の設定項目を併せて適用した場合に、どのような画像が表示されるかをユーザーが容易に把握可能となる。
【００６４】
なお、本発明は上記実施の形態の構成に限られず種々の変形が可能である。図１乃至図７を用いて説明した上記実施形態の構成及び処理は、本発明の一例に過ぎず、本発明を当該構成及び処理に限定する趣旨ではない。
【符号の説明】
【００６５】
１        画像形成装置
１１      画像読取部
１２      画像形成部
３１      制御ユニット
３２      表示部
３４      操作部
３５      タッチパネル
３６      ＮＷ通信部
３７      ＦＡＸ通信部
３８      記憶部
４１      主制御部
４２      表示制御部
４３      通信制御部
【図１】
2018192661.tif 000003
【図２】
2018192661.tif 000004
【図３】
2018192661.tif 000005
【図４】
2018192661.tif 000006
【図５】
2018192661.tif 000007
【図６】
2018192661.tif 000008
【図７】
2018192661.tif 000009